(57)【要約】【課題】  シールド性に優れ、機械的、電気的に信頼性の高いコネクタ装置を提供すること。【解決手段】  信号用コンタクト２３と同一形状のグランド用コンタクト２５は前記信号用コンタクト２３をペアコンタクトとしたペアコンタクト間に配設されており、プラグコネクタ３１は信号用コンタクト３３と、第１のグランドプレート３６と、第２のグランドプレート３７とからなり、前記第２のグランドプレート３７は前記ペアコンタクト間に配設されており、前記第１及び第２のグランドプレート３６，３７は前記ペアコンタクトを囲んでいる。【選択図】  図１
2006114407.tif 000002
【特許請求の範囲】
【請求項１】
レセプタクルコネクタと、該レセプタクルコネクタに接続するプラグコネクタとからなるコネクタ装置において、前記レセプタクルコネクタは導電性の信号用コンタクトと導電性のグランド用コンタクトとを有し、該グランド用コンタクトは一対の前記信号用コンタクトをペアコンタクトとしたペアコンタクト間に配設されており、前記信号用コンタクト及び前記グランド用コンタクトは同一形状を呈しており、前記プラグコネクタは導電性の信号用コンタクトと導電性のグランドプレートとを有し、該グランドプレートは複数の第１のグランドプレートと少なくとも一つの第２のグランドプレートとからなり、前記第１のグランドプレートと前記第２のグランドプレートとは互いに直交する方向で組み合わされており、前記第１のグランドプレートはピッチ方向にかつ前記プラグコネクタの前記信号コンタクト間に配されており、前記第２のグランドプレートはピッチ方向と直交する方向にかつ前記ペアコンタクト間に配設されており、前記第１のグランドプレートと前記第２のグランドプレートで、前記ペアコンタクト間を分離又は囲んでいることを特徴とするコネクタ装置。
【請求項２】
請求項１記載のコネクタ装置において、前記プラグコネクタは前記第１のグランドプレートを保持するプラグハウジングを有し、前記第１のグランドプレートは前記レセプタクルコネクタと前記プラグコネクタとが嵌合した際に前記レセプタクルコネクタ内の前記信号用コンタクトを仕切る延長板状部を有し、該延長板状部は前記プラグハウジングに挿入されて保持されることを特徴とするコネクタ装置。
【請求項３】
請求項１又は２記載のコネクタ装置において、前記プラグコネクタは前記第１のグランドプレート及び前記第１のグランドプレートを保持したインシュレータとからなるグランドモジュールと、該グランドモジュールを整列させ前記第１のグランドプレートを回路基板に接続させる整列グランドプレートとを有していることを特徴とするコネクタ装置。
【発明の詳細な説明】
【技術分野】
【０００１】
本発明は、回路基板間を接続するコネクタ装置に関し、特に高速伝送用のコネクタ装置のグランド構造に関するものである。
【背景技術】
【０００２】
従来のコネクタ装置は、レセプタクルコネクタと、レセプタクルコネクタに組み合わされて相互に接続するプラグコネクタとを有している。
【０００３】
レセプタクルコネクタは、絶縁性のレセプタクルハウジングと、レセプタクルハウジングに列（コラム）方向及び行（ライン）方向で保持されている複数の信号コンタクトと、信号コンタクトのコラム列間及びコラム列の両外側でコラム方向に配設された板状の第１のグランドプレートとによって構成されている。
【０００４】
プラグコネクタは、絶縁性のプラグハウジングと、プラグハウジングに列（コラム）方向及び行（ライン）方向で保持された複数の信号用ソケットコンタクトと、これら信号用ソケットコンタクトのコラム列間及びコラム列の両外側にコラム方向で配設された複数の第１のグランドプレートを備えたグランドモジュールと、ソケットコンタクトのライン列にライン方向で配設された第２のグランドプレートとによって構成されている。
【０００５】
グランドモジュールは、インシュレータと、インシュレータにモールドインされた第１のグランドプレートとによって構成されている。第２のグランドプレートは、プラグハウジングに圧入される。また、グランドモジュールはプラグハウジングに圧入される。このとき、第２のグランドプレートとグランドモジュールの第１のグランドプレートとは接続される。
【０００６】
レセプタクルコネクタにプラグコネクタを嵌合させたときには、信号用コンタクトと信号用ソケットコンタクトとが互いに接続される。この際、プラグ側の第２のグランドプレートとレセプタクル側の第１のグランドプレートとは互いに接続される（例えば、特許文献１を参照）。
【０００７】
【特許文献１】特許第３４９１０６４号公報（公報第１０頁段落［００８０］〜［００９１］、図１０、図１１、図１２）
【発明の開示】
【発明が解決しようとする課題】
【０００８】
しかしながら、レセプタクルコネクタは、信号用コンタクトのコラム間に配置されたグランドプレートが板状を呈しており、グランドプレートを収納して保持するインシュレータ（モールド部品）には細長い穴が開いているのでインシュレータの品質上、反りや強度などが問題となる。
【０００９】
また、グランドプレート自体も金型を必要とするため、コネクタ装置がコスト高とる。
【００１０】
さらに、プラグハウジングにグランドモジュールを組み立てるときには、プラグハウジングにグランドモジュールに挿入して圧入しているため、外部からの影響によりグランドモジュールの固定が十分でなくなる恐れがある。特に、両端側のグランドモジュールは、影響を受け易い。
【００１１】
それ故に、本発明の課題は、シールド性に優れたコネクタ装置を提供することにある。
【００１２】
また、本発明の他の課題は、機械的、電気的に信頼性の高いコネクタ装置を提供することにある。
【課題を解決するための手段】
【００１３】
本発明は、レセプタクルコネクタと、該レセプタクルコネクタに接続するプラグコネクタとからなるコネクタ装置において、前記レセプタクルコネクタは導電性の信号用コンタクトと導電性のグランド用コンタクトとを有し、該グランド用コンタクトは一対の前記信号用コンタクトをペアコンタクトとしたペアコンタクト間に配設されており、前記信号用コンタクト及び前記グランド用コンタクトは同一形状を呈しており、前記プラグコネクタは導電性の信号用コンタクトと導電性のグランドプレートとを有し、該グランドプレートは複数の第１のグランドプレートと少なくとも一つの第２のグランドプレートとからなり、前記第１のグランドプレートと前記第２のグランドプレートとは互いに直交する方向で組み合わされており、前記第１のグランドプレートはピッチ方向にかつ前記プラグコネクタの前記信号コンタクト間に配されており、前記第２のグランドプレートはピッチ方向と直交する方向にかつ前記ペアコンタクト間に配設されており、前記第１のグランドプレートと前記第２のグランドプレートで、前記ペアコンタクト間を分離又は囲んでいることを特徴とするコネクタ装置であることを最も主要な特徴とする。
【発明の効果】
【００１４】
本発明のコネクタ装置によれば、レセプタクルコネクタとプラグコネクタが嵌合した際に、グランド用コンタクトが第２のグランドプレートに電気的に接続するので、一対の信号用コンタクトからなるペアコンタクトをグランド用コンタクトによって仕切ることができるのでシールド性に優れたものとなる。
【００１５】
このグランドコンタクトは、信号用コンタクトと同形状のものを用いることができ、レセプタクルコネクタから従来用いていたグランドプレートを削減することができ、これに伴ってレセプタクルコネクタの形状を簡素化することができるので品質が安定するコネクタ装置を提供することが可能となる。
【００１６】
また、本発明のコネクタ装置によれば、プラグコネクタにおけるグランドモジュールを整列させる整列グランドプレートを備えることにより機械的、電気的に信頼性の高いコネクタ装置を提供できる。
【発明を実施するための最良の形態】
【００１７】
本発明のコネクタ装置は、レセプタクルコネクタと、該レセプタクルコネクタに接続するプラグコネクタとからなるコネクタ装置において、前記レセプタクルコネクタは信号用コンタクトとグランド用コンタクトとを有し、該グランド用コンタクトは一対の前記信号用コンタクトをペアコンタクトとしたペアコンタクト間に配設されており、前記信号用コンタクトと前記グランド用コンタクトとは同一形状のコンタクトが用いられており、前記プラグコネクタは信号用コンタクトとグランドプレートとを有し、該グランドプレートは複数の第１のグランドプレートと少なくとも一つの第２のグランドプレートとからなり、前記第１のグランドプレートと前記第２のグランドプレートとは互いに直交する方向で組み合わされており、前記第１のグランドプレートはピッチ方向にかつ前記プラグコネクタの前記信号コンタクト間に配されており、前記第２のグランドプレートはピッチ方向と直交する方向にかつ一対の前記信号コンタクトをペアコンタクトとした前記ペアコンタクト間に配設されており、前記第１のグランドプレートと前記第２のグランドプレートで、前記ペアコンタクト間を分離又は囲むことにより実現した。
【実施例１】
【００１８】
図１は、本発明に係るコネクタ装置の実施例１を示している。図１では、内部の構成を説明するためにコネクタ装置の一部を省略して示している。図２はレセプタクルコネクタとこのレセプタクルコネクタを搭載する回路基板とを示している。図３はプラグコネクタと、このプラグコネクタを接続する回路基板とを示している。
【００１９】
図１乃至図３を参照して、コネクタ装置は、レセプタクルコネクタ２１と、このレセプタクルコネクタ２１に組み合わされて接続するプラグコネクタ３１とを有している。
【００２０】
レセプタクルコネクタ２１は、図４にも示すように絶縁性のレセプタクルハウジング２２と、レセプタクルハウジング２２に保持されている複数本の導電性の信号用コンタクト２３と、導電性のグランド用コンタクト２５とを有している。
【００２１】
グランド用コンタクト２５は、一対の信号用コンタクト２３をペアコンタクトとしたペアコンタクト間に配設されている。信号用コンタクト２３とグランド用コンタクト２５とは、図５にも示すように、同一形状のコンタクトが用いられている。
【００２２】
プラグコネクタ３１は、図６にも示すように、複数本の導電性の信号用ソケットコンタクト３３と、１２枚からなる導電性の第１のグランドプレート３６と、少なくとも一つの導電性の第２のグランドプレート３７とを有している。第１のグランドプレート３６と第２のグランドプレート３７とは、互いに直交する方向で組み合わされている。第１のグランドプレート３６は、コネクタ装置のピッチ方向に、かつ信号用ソケットコンタクト３３間に配されている。
【００２３】
第２のグランドプレート３７は、コネクタ装置のコラム方向Ｘと直交するライン方向Ｙに、かつ一対の信号用コンタクト２３をペアコンタクトとしたペアコンタクト間に配設されている。第１のグランドプレート３６と第２のグランドプレート３７とは、第１のグランドプレート３６と第２のグランドプレート３７とによってペアコンタクトを囲んでいる。
【００２４】
さらに具体的にコネクタ装置を説明すると、図１、図２、図４及び図５に示したように、レセプタクルハウジング２２は、図2及び図４の断面で見ると略コ字状に作られている。信号用コンタクト２３は、列方向（コラム方向Ｘ）に４本、及びコネクタ装置のピッチ方向である行方向（ライン方向Ｙ）に１１本が保持されており、合計で４４本を有する。これらの信号用コンタクト２３は、図２に示した回路基板であるマザーボード２０１上の回路パターンと接続するための端子部２３Ａを有している。グランド用コンタクト２５は、ライン方向に１１本を有し、回路基板であるマザーボード２０１上の回路パターンと接続するための端子部２５Ａを有している。端子部２３Ａ，２５Ａは、マザーボード２０１のスルーホール２０３中にプレスフィットによる打ち込みにより圧入される。
【００２５】
レセプタクルハウジング２２には、複数の信号用コンタクト２３を配設して保持するための複数の保持孔２２ａがマトリックス状に上側２ラインおよび下側２ラインと複数のコラムを配列するように形成されている。
【００２６】
さらに、レセプタクルハウジング２２には、一対の信号用コンタクト２３をペアコンタクトとしたペアコンタクト間にグランド用コンタクト２５を配設して保持する複数の保持孔２２ｂが複数のコラムを配列するように形成されている。
【００２７】
プラグコネクタ３１は、図１、図3、図６に示すように、絶縁性のプラグハウジング３２と、プラグハウジング３２に保持されている複数本の信号用ソケットコンタクト３３と、これら信号用ソケットコンタクト３３のコラム列間及びコラム列の両外側に配設されている導電性の第１のグランドプレート３６（図７をも参照）を備えたグランドモジュール３４（図８をも参照）と、信号用ソケットコンタクト３３のライン列間及びライン列の両外側に配設されている第２のグランドプレート３７（図９をも参照）とを有している。
【００２８】
プラグハウジング３２には、図３及び図６に示したように、複数の保持孔２２ａ、２２ｂに対応する位置に信号用コンタクト２３及びグランド用コンタクト２５を保持する複数の保持孔３２ｄが形成されている。
【００２９】
信号用ソケットコンタクト３３は、プラグハウジング３２に保持された列（コラム）方向の４本、及び行（ライン）方向の１１本の合計４４本を有する。信号用ソケットコンタクト３３は、信号用コンタクト２３の端子部２３Ａとは反対側の接触部２３Ｂに接触するソケット部３３Ａと、回路基板に接続する端子部３３Ｂとを有している。
【００３０】
グランドモジュール３４は、第１のグランドプレート３６を信号用ソケットコンタクト３３のコラム列間及びコラム列の両外側に配設された合計１２個を備えている。第２のグランドプレート３７は、１個が信号用ソケットコンタクト３３のライン列に配設されている。
【００３１】
レセプタクルハウジング２２の複数の保持孔２２ａには、プラグハウジング３２の複数の保持孔３２ｄが一対一に対向する。第１のグランドプレート３６の先端には、図７に示したように、保持孔３２ｄに挿入されている第２のグランドプレート３７に接続される接触部３６Ａが形成されている。第１のグランドプレート３６の下辺部分には、１本の端子部３６Ｂがプレート部分から延びている。
【００３２】
接触部３６Ａは、第１のグランドプレート３６と同一面で延びている。端子部３６Ｂは、第１のグランドプレート３６を回路基板であるドーターボード３０１のグランドパターンに接続して固定するために、ドーターボード３０１のスルーホール３０３中にプレスフィットによる打ち込みにより圧入される。
【００３３】
グランドモジュール３４は、図７とともに図８にも示したように、インシュレータ３５と、インシュレータ３５によってモールドインされた第１のグランドプレート３６とから構成されている。
【００３４】
第２のグランドプレート３７は、図９及び図１０にも示すように、プラグハウジング３２の保持孔３２ｄとは反対側に位置する部分が側面略Ｌ字状に折曲され、一方側にスリット３７Ａと、他方側にレセプタクルコネクタ２１のグランド用コンタクト２５Ｂに接続する接触部３７Ｂと、側面略Ｌ字状に折曲されている部分に端子部３７Ｃとを有する。
【００３５】
端子部３７Ｃは、第２のグランドプレート３７を回路基板であるドーターボード３０１のグランドパターンに接続固定するために、ドーターボード３０１のスルーホール３０１中にプレスフィットによる打ち込みにより圧入される。
【００３６】
第１のグランドプレート３６及び第２のグランドプレート３７は、互いに直交する向きで第１のグランドプレート３６の接触部３６Ａの根元部分に形成されているスリット３６Ｃと第２のグランドプレート３７のスリット３７Ａとで組み合わされ圧入されてプラグハウジング３２に取り付け固定される。
【００３７】
即ち、第２のグランドプレート３７のスリット３７Ａには、接触部３６Ａを挿入することにより接続される。第２のグランドプレート３７の接触部３７Ｂ間には、グランド用コンタクト２５が挿入されて接続する。
【００３８】
さらに、図９及び図１０を参照して、第２のグランドプレート３７は、この第２のグランドプレート３７を支持する複数のインシュレータブロック３８を備えている。複数のインシュレータブロック３８は、第２のグランドプレート３７とモールドインによって一体に構成されている。
【００３９】
第２のグランドプレート３７は、プラグハウジング３２に圧入され、グランドモジュール３４も、プラグハウジング３２に圧入される。このとき、第２のグランドプレート３７とグランドモジュール３４の第１のグランドプレート３６とは、接続される。
【００４０】
かくして、第１のグランドプレート３６と第２のグランドプレート３７とは互いに格子状に組み合わされ、信号用ソケットコンタクト３３のペアはグランドプレート３６，３７によって分離される。
【００４１】
レセプタクルコネクタ２１にプラグコネクタ３１を組み合わせ嵌合させたときには、信号用コンタクト２３と信号用ソケットコンタクト３３とが互いに接続される。この際、プラグコネクタ３１のライン方向に配置された第２のグランドプレート３７の接触部３７Ｂにグランド用コンタクト２５の接触部２５Ｂが接続する。
【００４２】
ここで、各コラム中の信号用コンタクト２３のペアコンタクトは、それぞれ対として、信号を伝送するものである。第２のグランドプレート３７は異なる信号伝送用の上下のコンタクト対を互いにシールドしている。
【００４３】
即ち、第１のグランドプレート３６に対して１枚の第２のグランドプレート３７は交差して組み合わされ、各コラム列の上下１対ずつの信号用ソケットコンタクト３３を両グランドプレートによって仕切ることになる。かくして、信号伝送用のペアコンタクトは互いにシールドされることになる。
【００４４】
さらに、実施例１におけるコネクタ装置は、プラグコネクタ３１のライン方向に配置された整列グランドプレート１３８を有する。なお、整列グランドプレート１３８の詳細については、実施例２によって説明する。
【００４５】
上記の実施の形態では、コンタクトは合計で４４本を用いた場合を例にとったが、マトリックスのラインとコラムの数を必要に応じて増減することは可能である。またそれに応じてグランドプレートの数を増減することは、当業者には容易に理解されるところであろう。
【００４６】
また、信号用ソケットコンタクト３３はソケット部３３Ａを有するが、ソケット部３３Ａに代わる形状として、信号用コンタクト２３の接触部２３Ｂに接触するような周知であるバネ部をもつコンタクトを採用してもよい。
【実施例２】
【００４７】
図１１は、コネクタ装置の実施例２を示している。図１２は第１のグランドプレートを示している。なお、実施例２におけるコネクタ装置では、実施例１によって説明した構成における第１のグランドプレート３６のみが異なるので、第１のグランドプレートについて以下に説明する。
【００４８】
図１１及び図１２を参照して、第１のグランドプレート１３６は、接触部３６Ａよりも前方へ延びている一対の延長板状部１３６Ａ，１３６Ｂを有している。
【００４９】
一対の延長板状部１３６Ａ，１３６Ｂは、プラグハウジング３２に挿入されて保持されている。延長板状部１３６Ａ，１３６Ｂは、レセプタクルコネクタ２１とプラグコネクタ３１が嵌合した際に、レセプタクルコネクタ２１内のコラム方向の隣接する信号用コンタクト２３を仕切り、シールド構造を強化させる役目を果たす。
【００５０】
さらに、実施例１及び実施例２におけるコネクタ装置は、図１に示した整列グランドプレート１３８と同様なプラグコネクタ３１のライン方向に配置された整列グランドプレート１３８を有する。
【００５１】
図１、図６、図１１及び図１３を参照して、整列グランドプレート１３８は、プラグコネクタ３１における信号用コンタクト２３のコラム間に配置されたグランドモジュール３４を整列させ、第１のグランドプレート３６を回路基板に電気的に接続させることができるようにライン方向に配置されている。
【００５２】
整列グランドプレート１３８は、板状部１４０に基板接続用端子部１３８Ｂが１１箇所設けられており、ドーターボード３０１のスルーホール３０１にプレスフィットにより打ち込まれてドーターボード３０１に接続する。基板接続用端子部１３８Ｂは、信号用コンタクト２３のコラム間に存在する。なお、基板接続用端子部１３８Ｂの位置は、ドーターボード３０１のスルーホール３０１に合わせて変えることも可能である。
【００５３】
また、整列グランドプレート１３８には、切り欠き部１３８Ａが第１のグランドプレート３６の個数と位置合わせて１２箇形成されている。また、第１のグランドプレート３６にも整列グランドプレート３８の切り欠き部１３８Ａと接続するための切り欠き部３６Ｄが設けられている。
【００５４】
図１４に示した第１グランドプレート３６と整列グランドプレート１３８とは、プラグコネクタ３１の組み立て工程において、図１５に示したように、整列グランドプレート１３８の切り欠き部１３８Ａが第１のグランドプレート３６の切り欠き部３６Ｄと合わされて互いに第１のグランドプレート３６と整列グランドプレート１３８とを組み込まれる。
【産業上の利用可能性】
【００５５】
本発明は、１つの情報信号を差動信号として２本の信号線を用いて伝送する方式いわゆる差動伝送方式の信号回路の接続に用いるコネクタ装置の用途にも適用できる。
【図面の簡単な説明】
【００５６】
【図１】本発明のコネクタ装置を一部で断面しさらに一部を省略して示した斜視図である（実施例１）。
【図２】図１に示したレセプタクルコネクタの外観形状と、回路基板とを示す斜視図である。
【図３】図１に示したプラグコネクタの外観形状と、回路基板とを示す斜視図である。
【図４】図２に示したレセプタクルコネクタを拡大して別な角度から断面して見た状態の斜視図である。
【図５】図１に示した信号用コンタクト及びグランド用コンタクトの配列を示す斜視図である。
【図６】図１に示したプラグコネクタを一部で断面しさらに一部を省略して示した斜視図である。
【図７】図１に示したコネクタ装置の第１のグランドプレートを反転させて示した斜視図である。
【図８】図１に示したコネクタ装置のプラグモジュールを反転して示した斜視図である。
【図９】図１に示したコネクタ装置の第２のグランドプレートを反転させてインシュレータブロックとともに示した斜視図である。
【図１０】図１に示したコネクタ装置の第１のグランドプレートをインシュレータブロックとともに示した斜視図である。
【図１１】本発明のコネクタ装置を一部で断面しさらに一部を省略して示した斜視図である（実施例２）。
【図１２】図１１に示したコネクタ装置の第１のグランドプレートを反転させて示した斜視図である。
【図１３】図１及び図１１に示した整列グランドプレートを示した斜視図である。
【図１４】図１１に示したコネクタ装置の第１のグランドプレートと整列グランドプレートとの接続前の状態を示した斜視図である。
【図１５】図１４に示したコネクタ装置の第１のグランドプレートと整列グランドプレートとを接続した状態を示した斜視図である。
【符号の説明】
【００５７】
２１    レセプタクルコネクタ
２２    レセプタクルハウジング
２３    信号用コンタクト
２３Ａ、２５Ａ，３３Ｂ，３６Ｂ、３７Ｃ    端子部
２５    グランド用コンタクト
３１    プラグコネクタ
３２    プラグハウジング
３３    信号用ソケットコンタクト
３３Ａ    ソケット部
３４    グランドモジュール
３５    インシュレータ
３６    第１のグランドプレート
２３Ｂ，２５Ｂ，３６Ａ，３７Ｂ    接触部
３６Ｄ、１３８Ａ    切り欠き部
３６Ｃ，３７Ａ    スリット
３７    第２のグランドプレート
３８    インシュレータブロック
１３６Ａ，１３６Ｂ    延長板状部
１３８    整列グランドプレート
１３８Ｂ    基板接続用端子部
１４０    板状部
【図１】
2006114407.tif 000003
【図２】
2006114407.tif 000004
【図３】
2006114407.tif 000005
【図４】
2006114407.tif 000006
【図５】
2006114407.tif 000007
【図６】
2006114407.tif 000008
【図７】
2006114407.tif 000009
【図８】
2006114407.tif 000010
【図９】
2006114407.tif 000011
【図１０】
2006114407.tif 000012
【図１１】
2006114407.tif 000013
【図１２】
2006114407.tif 000014
【図１３】
2006114407.tif 000015
【図１４】
2006114407.tif 000016
【図１５】
2006114407.tif 000017